(57)【要約】【課題】ラップフィルムが、その先端部が収納体本体に引き込まれることがなく、皺が生じ難く、また収納体本体の外面に付着した状態から容易に剥がすことができるラップフィルム用収納体を提供する。【解決手段】ラップフィルムが収納される収納体本体１に起状自在に連接されている蓋体２が、開口部１ａを覆う天板２ａと、収納体本体１の前板１ｂと略当接する掩蓋片２ｂと、掩蓋片２ｂに切り離し線を介して連接されている開封片と、掩蓋片２ｂの裏面に重着されている金属製切断刃２ｅとを備えていて、収納体本体１の前板１ｂの長手方向の両端から略等距離の位置に帯状磁石体の両端部が挿入される開口用押込み部３が、開口用押込み部３にその両端部が挿入されて前板１ｂの外面に装着された帯状磁石体の帯状磁石が前板１ｂと略当接した掩蓋片２ｂによってその幅の１／３〜１／２覆われた状態に装着される部位に設けられている構成にする。【選択図】        図３
2004250069.tif 000002
【特許請求の範囲】
【請求項１】
ロール状に巻かれた粘着性を有するラップフィルムが収納される収納体本体（１）の上方開口部（１ａ）の長手方向と平行な一方の側縁に起状自在に連接されている蓋体（２）が、該開口部（１ａ）を覆う天板（２ａ）と、該天板（２ａ）の前記一方の側縁と反対側の側縁に連接されて該収納体本体（１）の前板（１ｂ）と略当接する掩蓋片（２ｂ）と、該掩蓋片（２ｂ）に切り離し線（２ｃ）を介して連接されている開封片（２ｄ）と、該開封片（２ｄ）が切り取られた際に該掩蓋片（２ｂ）の前記天板（２ａ）と反対側の端縁に露出する該掩蓋片（２ｂ）の裏面に重着されている鋼製切断刃（２ｅ）とを備えているラップフィルム用収納体において、
該収納体本体（１）の前板（１ｂ）の長手方向の両端から略等距離の位置に帯状磁石体の両端部が挿入される開口用押込み部（３）が、該開口用押込み部（３）にその両端部が挿入されて該前板（１ｂ）の外面に装着された該帯状磁石体の帯状磁石が該前板（１ｂ）と略当接した該掩蓋片（２ｂ）によってその幅の１／３〜１／２覆われた状態に装着される部位に設けられていることを特徴とするラップフィルム用収納体。
【請求項２】
開口用押込み部（３）が、前板（１ｂ）の長手方向に垂直な折り込み線部（３ａ）と、該折り込み線部（３ａ）の終端から該前板（１ｂ）の長手方向の端部方向に略円弧状に設けられたミシン目部（３ｂ）とから成る請求項１に記載のラップフィルム用収納体。
【請求項３】
前板（１ｂ）の長手方向に垂直な折り込み線部（３ａ）の長さが１５〜２０ｍｍで、開口用押込み部（３，３）同士の最も離れた部分間の距離が１６５〜１７２ｍｍである請求項２に記載のラップフィルム用収納体。
【発明の詳細な説明】
【０００１】
【発明の属する技術分野】
本発明は、食品を包装する際に使用される粘着性を有するラップフィルムがロール状に巻かれて収納されるラップフィルム用収納体に関するものであり、引き出されたラップフィルムの先端部が収納体本体に引き込まれたりすることがなく、また収納体本体の外部に引き出されたラップフィルムに皺が生じ難く、更に収納体本体の外面に付着したラップフィルムを容易に剥がすことができると共に、ラップフィルムを使いきった後には鋼製切断刃を取り除くだけで従来のラップフィルム用収納体と同様に再生紙原料として再利用可能なラップフィルム用収納体に関するものである。
【０００２】
【従来の技術】
食品を包装する粘着性を有するラップフィルムは家庭用及び業務用として広く使用されており、一般には紙管から成るコアの周囲にロール状に巻かれたラップフィルムが略直方体状の板紙製の収納体本体の上方開口部の長手方向と平行な一方の側縁に蓋体が起状自在に連接されているラップフィルム用収納体内に収められていて、この収納体本体の上方開口部から引き出されたラップフィルムは蓋体の前記一方の側縁と反対側に設けられており収納体本体の前板と略当接する掩蓋片の端縁に露出し掩蓋片の裏面に重着されている鋼製切断刃によって切断されて使用されるのである。
【０００３】
しかしながら、ラップフィルム用収納体内のコアに巻き付けられている部分はその粘着力によって略一体化しているので、使用するためにコアから引き出されたラップフィルムにはコアと引き出されられている先端部分間に張力が作用しているため、鋼製切断刃によって切断されたラップフィルムの先端部は前記張力によって収納体本体内に引き込まれ易く、次に使用する際にラップフィルムを引き出すのに苦労することが多い。
【０００４】
更に、引き出されたラップフィルムがたわむとラップフィルム同士の接触した部分が付着して皺が生じ易く、またラップフィルムが収納体本体の前板に付着すると剥がし難い等の問題も生じる。
【０００５】
このような各問題に対して、収納体本体の前板に付着するラップフィルムを剥がし易くしたものとしては、収納部の外面で且つ切断部材により切断されて収納部内に残ったラップフィルムの先端が位置する部分に、凹部が形成されているラップフィルムの収納ケースがある（例えば、特許文献１参照。）。このラップフィルムの収納ケースでは、外面に凹部が設けられていてラップフィルムが収納部の外面の全幅に渡って付着することを防ぐことができるから剥がし易いが、凹部とラップフィルムとの間にできる空間内でラップフィルムがたわんで皺が生じ易く異物も付着し易いという欠点がある。
【０００６】
またラップフィルムに皺を生じさせないようにしたものとしては、ラップフィルムの全幅にわたる直線上の部材を上蓋の前部壁下端から下方に平行な間隔をあけて上蓋から設け、上蓋を閉めて親指で上蓋の前部壁を押さえたときにはラップフィルムの全幅が前面板に取り付けたスポンジなどの弾性体を介して挟んで保持し、上蓋を開けたときにはラップフィルムを挟まないようにし、該間隙でラップフィルムをカッターナイフで切断するラップフィルムの収納ケースがある（例えば、特許文献２参照。）。しかしながら、このラップフィルムの収納ケースでは、ラップフィルムを全幅にわたって挟持する長い部材を装着しなければならず、またカッターナイフで切断するなど大変煩雑な操作が必要であるという欠点がある。
【０００７】
【特許文献１】
特開平１１−３０１６６０号公報
【特許文献２】
特開２００２−３６２５４６号公報
【０００８】
また、使用を終えたラップフィルム用収納体の処分も大きな問題となっており、ラップフィルム用収納体が鋼製切断刃を取り外しただけで簡単に紙と金属とに仕分けできると紙の部分は再生紙原料として再利用可能になるので好ましいが、着脱できないような金属製又はプラスッチク製の特殊な部品が固定されていたり、ラップフィルムが当接する部分に特殊な塗装が施されていたりすると処分が難しくなる。
【０００９】
【発明が解決しようとする課題】
本発明は、前記の問題に鑑み、引き出されたラップフィルムの先端部が収納体本体に引き込まれることがなく、また収納体本体の外部に引き出されたラップフィルムに皺が生じ難く、収納体本体の外面に付着したラップフィルムを容易に剥がすことができ、ラップフィルムを使いきった後には鋼製切断刃を取り除くだけで従来のラップフィルム用収納体と同様に再生紙原料として再利用可能なラップフィルム用収納体を提供することを課題とする。
【００１０】
【課題を解決するための手段】
本発明者（等）は前記課題を解決すべく鋭意検討を重ねた結果、ロール状に巻かれた粘着性を有するラップフィルムが収納される収納体本体に、収納体本体の上方の開口部を覆う天板と、収納体本体の前板と略当接する掩蓋片と、掩蓋片に切り離し線を介して連接されている開封片と、掩蓋片の裏面に重着されている鋼製切断刃とを備えている蓋体が連接されているラップフィルム用収納体において、収納体本体の前板の所定位置に帯状磁石体の両端部が挿入される開口用押込み部を設ければ、その開口用押込み部に両端部を挿入されて収納体本体の前板に装着される帯状磁石体の帯状磁石によって掩蓋片の裏面に重着されている鋼製切断刃が常に引き付けられた状態となり、ラップフィルムが収納体本体の前板と掩蓋片との間で確実に挟持されるから、ラップフィルムの先端部が収納体本体に引き込まれたり、収納体本体の外部に引き出されたラップフィルムがたわんで皺が生じたりすることがなく、また帯状磁石体はその両端部が開口用押込み部から収納体本体内部へ向けて傾斜した状態で挿入されるので収納体本体の前板には帯状磁石体が凸状に装着されるため、開口用押込み部近傍でラップフィルムと帯状磁石体との間に僅かな隙間が生じるからその隙間からラップフィルムを容易に剥がすことができ、更にラップフィルム用収納体には着脱自在な帯状磁石体を装着するための開口用押込み部が設けられているだけで特殊な部材などは装着されていないから、ラップフィルムを使いきった後には鋼製切断刃を取り除くだけで再生紙原料として再利用可能な状態にできることを究明して本発明を完成したのである。
【００１１】
即ち本発明は、ロール状に巻かれた粘着性を有するラップフィルムが収納される収納体本体の上方開口部の長手方向と平行な一方の側縁に起状自在に連接されている蓋体が、開口部を覆う天板と、天板の前記一方の側縁と反対側の側縁に連接されて収納体本体の前板と略当接する掩蓋片と、掩蓋片に切り離し線を介して連接されている開封片と、開封片が切り取られた際に掩蓋片の前記天板と反対側の端縁に露出する掩蓋片の裏面に重着されている鋼製切断刃とを備えているラップフィルム用収納体において、
該収納体本体の前板の長手方向の両端から略等距離の位置に帯状磁石体の両端部が挿入される開口用押込み部が、該開口用押込み部にその両端部が挿入されて該前板の外面に装着された該帯状磁石体の帯状磁石が該前板と略当接した該掩蓋片によってその幅の１／３〜１／２覆われた状態に装着される部位に設けられていることを特徴とするラップフィルム用収納体に関するものである。
【００１２】
また開口用押込み部が、前板の長手方向に垂直な折り込み線部と、折り込み線部の終端から前板の長手方向の端部方向に略円弧状に設けられたミシン目部とから成ると、開口用押込み部を指などで押し込んでミシン目部を破断させるだけで帯状磁石体が簡単に装着できるようになるので好ましく、更に前板の長手方向に垂直な折り込み線部の長さが１５〜２０ｍｍで、開口用押込み部同士の最も離れた部分間の距離が１６５〜１７２ｍｍであると、本出願人等が先に開発した帯状磁石体が容易に装着できて好ましいことも究明したのである。
【００１３】
【発明の実施の形態】
以下、図面を用いて本発明に係るラップフィルム用収納体について詳細に説明する。
図１は本発明に係るラップフィルム用収納体の１実施例の斜視説明図、図２は図１におけるラップフィルム用収納体の開封片を取り除いた状態を示す斜視説明図、図３は図２におけるラップフィルム用収納体の蓋体を起状させた状態を示す斜視説明図、図４は図３におけるラップフィルム用収納体に帯状磁石体を装着した状態を示す斜視説明図、図５は図４におけるラップフィルム用収納体の蓋体を閉じた状態を示す斜視説明図、図６は図５におけるラップフィルム用収納体の長手方向中央部の拡大端面説明図である。
【００１４】
図面中、１は紙管から成るコアにロール状に巻かれた粘着性を有するラップフィルムが収納される収納体本体であり、上方開口部１ａが設けられている。この収納体本体１が板紙で製作されているので、後述する開口用押込み部３の加工が容易で、また軽くて丈夫な上にラップフィルムを使いきった後には鋼製切断刃を取り除くだけで再生紙原料として再利用可能な状態にすることができるのである。
【００１５】
２は前記収納体本体１の上方開口部１ａの長手方向と平行な一方の側縁に起状自在に連接されている蓋体である。この蓋体２は、開口部１ａを覆う天板２ａと、天板２ａの前記一方の側縁と反対側の側縁に連接されて収納体本体１の前板１ｂと略当接する掩蓋片２ｂと、この掩蓋片２ｂの天板２ａと反対側に切り離し線２ｃを介して連接されている開封片２ｄと、開封片２ｄが切り取られた際に掩蓋片２ｂの前記天板２ａと反対側の端縁に露出する掩蓋片２ｂの裏面に重着されている鋼製切断刃２ｅとを備えている。
【００１６】
３は前記収納体本体１の前板１ｂの長手方向の両端から略等距離の位置に帯状磁石体の両端部が挿入される開口用押込み部である。この開口用押込み部３は、その開口用押込み部３にその両端部が挿入されて前板１ｂの外面に装着された帯状磁石体の帯状磁石が前板１ｂと略当接した掩蓋片２ｂによってその幅の１／３〜１／２覆われた状態に装着される部位に設けられている。このように掩蓋片２ｂによって帯状磁石体の帯状磁石がその幅の１／３〜１／２覆われた状態で装着される部位に開口用押込み部３が設けられる理由は、掩蓋片２ｂによって覆われる帯状磁石の幅が１／３より小さいと、掩蓋片２ｂの裏面に重着されている鋼製切断刃２ｅと帯状磁石との重なる部分が少なくなるので帯状磁石が鋼製切断刃２ｅを充分に引き付けることができなくなるからであり、一方、掩蓋片２ｂによって覆われる帯状磁石の幅が１／２より大きいと、開口用押込み部３にその両端部が挿入されて前板１ｂの外面に装着された帯状磁石体の上端が収納体本体１の上方開口部１ａに近接することになるため天板２ａを閉鎖させた際に掩蓋片２ｂの天板２ａ側が帯状磁石体と接触して掩蓋片２ｂが変形乃至破損する危険性があると共に、帯状磁石体の両端部の開口用押込み部３に挿入される部分は通常帯状磁石の幅の略中央の延長上に位置しているから結果的に収納体本体１の前板１ｂの上下方向の中央部近傍に挿入されることになり、ロール状に巻かれたラップフィルムと前板１ｂとの間隔が最も狭い部位は前板１ｂの上下方向の略中央部であるから、挿入された帯状磁石体の両端部がラップフィルムに当り、収納されているラップフィルムを破損させる危険性が高くなって好ましくないからである。
【００１７】
また開口用押込み部３が、前板１ｂの長手方向に垂直な折り込み線部３ａと、折り込み線部３ａの終端から前板１ｂの長手方向の端部方向に略円弧状に設けられたミシン目部３ｂとから成ると、開口用押込み部３を指などで押し込んでミシン目部３ｂを破断させるだけで帯状磁石体が簡単に装着できるようになるだけでなく、開口用押込み部３は完全に切り取られることなく折り込み線部３ａから収納体本体１側に押し込まれた状態になるから帯状磁石体が収納体本体１に深く入りすぎることを抑制する効果もある。
【００１８】
更に、前板１ｂの長手方向に垂直な折り込み線部３ａの長さが１５〜２０ｍｍで、開口用押込み部３，３同士の最も離れた部分間の距離が１６５〜１７２ｍｍであると、本出願人等が先に開発した帯状磁石体（発売元：（株）クレシア，商品名：くっつくん）が容易に装着できて好ましいのである。
【００１９】
またラップフィルムとしては、一般的には１５ｃｍ，２２ｃｍ，３０ｃｍ及び４５ｃｍの幅のものが利用されているが、本発明に係るラップフィルム用収納体はこれらのラップフィルムだけでなく様々な幅や長さのラップフィルムに対しても利用できるから、ラップフィルム用収納体自体の大きさは特に限定されるものではない。なお、本発明に係るラップフィルム用収納体に装着される帯状磁石体としては、その帯状磁石が前板１ｂの長手方向の長さに対して１／２〜４／５程度の長さであると、ラップフィルムを鋼製切断刃２ｅとの間で充分な長さで確実に挟持できてより好ましい。
【００２０】
このような構成を有する本発明に係るラップフィルム用収納体は、図１に示す如く開口用押込み部３が掩蓋片２ｂ及び開封片２ｄによって覆われていて外部から見えない状態になっており、この開封片２ｄを切り離し線２ｃで切り取ることによって図２の如く掩蓋片２ｂの裏面に重着されている鋼製切断刃２ｅの刃先が露出し、開口用押込み部３の一部が外部から見えるようになるのである。次に、蓋体２を起状させると図３に示すように折り込み線部３ａとミシン目部３ｂとから成る開口用押込み部３の全体が外部から見えるようになり、この開口用押込み部３のミシン目部３ｂを指や帯状磁石体の端部を使って収納体本体１の内部へ押し込んで破断させ、帯状磁石体を装着すると図４のようになるのである。その後、ラップフィルムを引き出して蓋体２を閉じれば、帯状磁石体の帯状磁石がラップフィルムを介して鋼製切断刃２ｅを引き付けて、図５及び図６に示すようにラップフィルムが収納体本体１の前板１ｂに装着された帯状磁石体の帯状磁石と掩蓋片２ｂの裏面に重着されている鋼製切断刃２ｅとの間で皺が生じない状態で挟持され且つ引き出されたラップフィルムの先端部が収納体本体１に引き込まれたりすることがなく、しかも収納体本体１の外面に付着したラップフィルムを容易に剥がすことができる状態となるのである。
【００２１】
このラップフィルム用収納体から実際にラップフィルムを引き出して使用するには、先ず蓋体２を起状させる。この際、帯状磁石体はその両端部が開口用押込み部３に前板１ｂの外面側から収納体本体１内部へ向けて傾斜した状態で挿入されているので、開口用押込み部３近傍でラップフィルムと帯状磁石体との間に僅かに隙間ができるから、この部分からラップフィルムを剥がして所定長さまで引き出し、次にラップフィルムを引張った状態で蓋体２を閉じことによって帯状磁石体の帯状磁石が鋼製切断刃２ｅを引き付けた状態にして、ラップフィルムと鋼製切断刃２ｅとを密着させてラップフィルムを切断するのである。切断後、収納体本体１側に残ったラップフィルムはその先端部が鋼製切断刃２ｅの裏側に重なるように位置してラップフィルムが殆ど外部から見えないような状態になるから、長期間使用しないような場合であっても埃等が付着することが殆どない。その後、ラップフィルムを再び使用するには、前記操作と同じ操作を繰り返せばよいのである。
【００２２】
【発明の効果】
以上に詳述したように本発明に係るラップフィルム用収納体は、ロール状に巻かれた粘着性を有するラップフィルムが収納される収納体本体の上方開口部の長手方向と平行な一方の側縁に起状自在に連接されている蓋体が、開口部を覆う天板と、天板の前記一方の側縁と反対側の側縁に連接されて収納体本体の前板と略当接する掩蓋片と、掩蓋片に切り離し線を介して連接されている開封片と、開封片が切り取られた際に掩蓋片の前記天板と反対側の端縁に露出する掩蓋片の裏面に重着されている鋼製切断刃とを備えているラップフィルム用収納体において、収納体本体の前板の長手方向の両端から略等距離の位置に帯状磁石体の両端部が挿入される開口用押込み部が、開口用押込み部にその両端部が挿入されて前板の外面に装着された帯状磁石体の帯状磁石が該前板と略当接した掩蓋片によってその幅の１／３〜１／２覆われた状態に装着される部位に設けられているから、蓋体を閉じた状態では収納体本体の前板に装着される帯状磁石体の帯状磁石によって掩蓋片の裏面に重着されている鋼製切断刃が常に引き付けられた状態となり、ラップフィルムが収納体本体の前板と掩蓋片との間で確実に挟持されるから、ラップフィルムの先端部が収納体本体に引き込まれたり、収納体本体の外部に引き出されたラップフィルムがたわんで皺が生じたりすることがなく、また帯状磁石体はその両端部が開口用押込み部から収納体本体内部へ向けて傾斜した状態で挿入されるので収納体本体の前板には帯状磁石体が凸状に装着されるため、開口用押込み部近傍でラップフィルムと帯状磁石体との間に僅かな隙間が生じるからその隙間からラップフィルムを容易に剥がすことができ、更にラップフィルム用収納体には着脱自在な帯状磁石体を装着するための開口用押込み部が設けられているだけで特殊な部材などは装着されていないから、ラップフィルムを使いきった後には鋼製切断刃を取り除くだけで従来のラップフィルム用収納体と同様に再生紙原料として再利用可能なのである。
【００２３】
また開口用押込み部が、前板の長手方向に垂直な折り込み線部と、この折り込み線部の終端から前板の長手方向の端部方向に略円弧状に設けられたミシン目部とから成る態様では、開口用押込み部を指などで押し込んでミシン目部を破断させるだけで帯状磁石体が簡単に装着できるようになるだけでなく、開口用押込み部は完全に切り取られることなく折り込み線部から収納体本体側に押し込まれた状態になるから帯状磁石体が収納体本体に深く入りすぎることを抑制する効果があり、更に折り込み線部の前板の長手方向に垂直な長さが１５〜２０ｍｍで、開口用押込み部同士の最も離れた部分間の距離が１６５〜１７２ｍｍである態様では、本出願人等が先に開発した帯状磁石体が容易に装着できるのである。
【００２４】
このような種々の効果を奏する本発明に係るラップフィルム用収納体の工業的価値は非常に大きなものである。
【図面の簡単な説明】
【図１】本発明に係るラップフィルム用収納体の１実施例の斜視説明図である。
【図２】図１におけるラップフィルム用収納体の開封片を取り除いた状態を示す説明用斜視図である。
【図３】図２におけるラップフィルム用収納体の蓋体を起状させた状態を示す斜視説明図である。
【図４】図３におけるラップフィルム用収納体に帯状磁石体を装着した状態を示す斜視説明図である。
【図５】図４におけるラップフィルム用収納体の蓋体を閉じた状態を示す斜視説明図である。
【図６】図５におけるラップフィルム用収納体の長手方向中央部の拡大端面説明図である。
【符号の説明】
１  収納体本体
１ａ  開口部
１ｂ  前板
２  蓋体
２ａ  天板
２ｂ  掩蓋片
２ｃ  切り離し線
２ｄ  開封片
２ｅ  鋼製切断刃
３  開口用押込み部
３ａ  折り込み線部
３ｂ  ミシン目部
【図１】
2004250069.tif 000003
【図２】
2004250069.tif 000004
【図３】
2004250069.tif 000005
【図４】
2004250069.tif 000006
【図５】
2004250069.tif 000007
【図６】
2004250069.tif 000008